【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
ウィンドウを表示する表示手段と、
表示された前記ウィンドウの変更指示を、該ウィンドウ内の表示内容のスクロールを行うか否かのスクロール指示と共に受け付ける指示受付手段と、
前記変更指示とスクロール指示の内容とに基づいて、前記ウィンドウのサイズ及び該ウィンドウ内の表示内容のスクロールを制御する表示制御手段とを備え、
前記表示制御手段は、
前記スクロール指示の内容が前記スクロールを行うことを示す場合に、前記変更指示に応じたサイズに前記ウィンドウを変形すると共に、前記表示内容のスクロールを該ウィンドウの変形量に応じて行い、
前記スクロール指示の内容が前記スクロールを行わないことを示す場合に、前記変更指示に応じたサイズに前記ウィンドウを変形すると共に、前記表示内容のスクロールを抑制する、
ことを特徴とする情報処理装置。
【請求項２】
前記指示受付手段は、前記変更指示を、表示された前記ウィンドウのサイズの変更中に、該ウィンドウのサイズを更に変更する指示として受け付けることを特徴とする請求項１に記載の情報処理装置。
【請求項３】
前記ウィンドウは、第１の領域と第２の領域とを有する辺を含むように構成され、
前記指示受付手段は、
前記第１の領域を利用した前記変更指示を受け付けた場合に、前記スクロールを行うとのスクロール指示を受け付け、
前記第２の領域を利用した前記変更指示を受け付けた場合に、前記スクロールを行わないとのスクロール指示を受け付ける
ことを特徴とする請求項１又は２に記載の情報処理装置。
【請求項４】
前記ウィンドウを構成する４辺のうち、１辺のみが前記第１の領域と前記第２の領域とを有する場合に、
前記指示受付手段は、該１辺に直交する方向へのウィンドウのサイズの変更指示のみを受け付け、
前記表示制御手段は、前記表示手段における前記１辺の表示位置に基づき前記ウィンドウのサイズを制御する
ことを特徴とする請求項３に記載の情報処理装置。
【請求項５】
ユーザからの第１の指示操作を受け付ける第１操作手段と、第２の指示操作を受け付ける第２操作手段とを更に備え、
前記指示受付手段は、
前記第１の指示操作に基づく前記ウィンドウの一部を利用した前記変更指示を受け付けた際に、前記第２操作手段が前記第２の指示操作を受けつけた場合に、前記スクロールを行うとのスクロール指示を受け付け、
前記第１の指示操作に基づく前記ウィンドウの一部を利用した前記変更指示を受け付けた際に、前記第２操作手段が前記第２の指示操作を受けつけない場合に、前記スクロールを行わないとのスクロール指示を受け付ける
ことを特徴とする請求項１又は２に記載の情報処理装置。
【請求項６】
前記ウィンドウの一部は、ウィンドウの辺又は角部であることを特徴とする請求項５に記載の情報処理装置。
【請求項７】
ユーザからの第１の指示操作を受け付ける第１操作手段と、第２の指示操作を受け付ける第２操作手段とを更に備え、
前記ウィンドウは境界枠により分割された複数のサブウィンドウを含み、該境界枠は第１の領域と第２の領域とを有するように構成され、
前記指示受付手段は、
前記第１の指示操作に基づく前記第１の領域を利用した前記変更指示を受け付けた際に、前記第２操作手段が前記第２の指示操作を受けつけた場合に、前記境界枠の第１の側のサブウィンドウ内の表示内容と第２の側のサブウィンドウ内の表示内容とについてスクロールを行う、とのスクロール指示を受け付け、
前記第１の指示操作に基づく前記第１の領域を利用した前記変更指示を受け付けた際に、前記第２操作手段が前記第２の指示操作を受けつけない場合に、前記第１の側のサブウィンドウ内の表示内容についてはスクロールを行い、前記第２の側のサブウィンドウ内の表示内容についてはスクロールを行わない、とのスクロール指示を受け付け、
前記第１の指示操作に基づく前記第２の領域を利用した前記変更指示を受け付けた際に、前記第２操作手段が前記第２の指示操作を受けつけた場合に、前記第１の側のサブウィンドウ内の表示内容については前記スクロールを行わず、前記第２の側のサブウィンドウ内の表示内容については前記スクロールを行う、とのスクロール指示を受け付け、
前記第１の指示操作に基づく前記第２の領域を利用した前記変更指示を受け付けた際に、前記第２操作手段が前記第２の指示操作を受けつけない場合に、前記第１の側のサブウィンドウ内の表示内容と第２の側のサブウィンドウ内の表示内容とについてスクロールを行わない、とのスクロール指示を受け付ける
ことを特徴とする請求項１又は２に記載の情報処理装置。
【請求項８】
前記第１の側及び第２の側は、前記境界枠に対して左側及び右側、又は、上側及び下側であることを特徴とする請求項７に記載の情報処理装置。
【請求項９】
前記第１操作手段は、前記情報処理装置と接続されたマウスの左ボタンであって、前記第２操作手段は該マウスの右ボタンであることを特徴とする請求項５乃至８のいずれか１項に記載の情報処理装置。
【請求項１０】
前記第１操作手段は、前記情報処理装置と接続された電子ペンの先端スイッチであって、前記第２操作手段は該電子ペンのサイドスイッチであることを特徴とする請求項５乃至８のいずれか１項に記載の情報処理装置。
【請求項１１】
前記表示内容はオブジェクトを含み、
前記表示制御手段は、
前記スクロール指示が前記スクロールを行うことを示し、かつ、前記オブジェクトが前記ウィンドウの辺又は境界枠と接触した場合は、該接触したオブジェクトについては前記スクロールを抑制し、
前記スクロール指示が前記スクロールを行わないことを示し、かつ、前記オブジェクトが前記ウィンドウの辺又は境界枠と接触した場合は、該接触したオブジェクトについては前記スクロールを行う
ことを特徴とする請求項１乃至１０のいずれか１項に記載の情報処理装置。
【請求項１２】
前記表示制御手段は、
前記スクロール指示が前記スクロールを行うことを示し、かつ、前記オブジェクトが、既に前記スクロールが抑制された他のオブジェクトと接触した場合は、該接触したオブジェクトの前記スクロールも抑制し、
前記スクロール指示が前記スクロールを行わないことを示し、かつ、前記オブジェクトが、既に前記スクロールが行われている他のオブジェクトと接触した場合は、該接触したオブジェクトの前記スクロールも行う
ことを更に特徴とする請求項１１に記載の情報処理装置。
【請求項１３】
情報処理装置の制御方法であって、
ウィンドウを表示部に表示する表示工程と、
表示された前記ウィンドウのサイズの変更指示を、該ウィンドウ内の表示内容のスクロールを行うか否かのスクロール指示と共に受け付ける指示受付工程と、
前記変更指示とスクロール指示の内容とに基づいて、前記ウィンドウのサイズ及び該ウィンドウ内の表示内容のスクロールを制御する表示制御工程とを備え、
前記表示制御工程では、
前記スクロール指示が前記スクロールを行うことを示す場合に、前記変更指示に応じたサイズに前記ウィンドウを変形すると共に、前記表示内容のスクロールを該ウィンドウの変形量に応じて行い、
前記スクロール指示が前記スクロールを行わないことを示す場合に、前記変更指示に応じたサイズに前記ウィンドウを変形すると共に、前記表示内容のスクロールを抑制する、
ことを特徴とする情報処理装置の制御方法。
【請求項１４】
ウィンドウを表示する表示手段を有するコンピュータを、
表示された前記ウィンドウの変更指示を、該ウィンドウ内の表示内容のスクロールを行うか否かのスクロール指示と共に受け付ける指示受付手段、
前記変更指示とスクロール指示の内容とに基づいて、前記ウィンドウのサイズ及び該ウィンドウ内の表示内容のスクロールを制御する表示制御手段
として機能させるコンピュータプログラムであって、
前記表示制御手段は、
前記スクロール指示の内容が前記スクロールを行うことを示す場合に、前記変更指示に応じたサイズに前記ウィンドウを変形すると共に、前記表示内容のスクロールを該ウィンドウの変形量に応じて行い、
前記スクロール指示の内容が前記スクロールを行わないことを示す場合に、前記変更指示に応じたサイズに前記ウィンドウを変形すると共に、前記表示内容のスクロールを抑制する、
ことを特徴とするコンピュータプログラム。
【手続補正２】
【補正対象書類名】明細書
【補正対象項目名】００２７
【補正方法】変更
【補正の内容】
【００２７】
上記課題を解決するための本発明は、情報処理装置であって、
ウィンドウを表示する表示手段と、
表示された前記ウィンドウの変更指示を、該ウィンドウ内の表示内容のスクロールを行うか否かのスクロール指示と共に受け付ける指示受付手段と、
前記変更指示とスクロール指示の内容とに基づいて、前記ウィンドウのサイズ及び該ウィンドウ内の表示内容のスクロールを制御する表示制御手段とを備え、
前記表示制御手段は、
前記スクロール指示の内容が前記スクロールを行うことを示す場合に、前記変更指示に応じたサイズに前記ウィンドウを変形すると共に、前記表示内容のスクロールを該ウィンドウの変形量に応じて行い、
前記スクロール指示の内容が前記スクロールを行わないことを示す場合に、前記変更指示に応じたサイズに前記ウィンドウを変形すると共に、前記表示内容のスクロールを抑制する、
ことを特徴とする。